【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
車両に搭載された車両用通信装置（１００）と、情報処理装置（３００）と、からなる駐車場管理システムであり、
前記車両用通信装置は、
駐車場における駐車スペースである車室毎に設置された駐車場用通信装置から前記車室を特定する第１の車室識別情報を受信し、かつ、当該車両を特定する車両識別情報を前記駐車場用通信装置に送信する第１の通信部（１０３）と、
前記第１の車室識別情報及び前記車両識別情報を当該車両の外部に設けられた前記情報処理装置に送信する第２の通信部（１０７）と、を有し、
前記情報処理装置は、
前記車両用通信装置から受信した前記第１の車室識別情報、及び前記車両識別情報を保存する第１の保存部（３０１）と、
前記駐車場の利用の申込みにより取得した利用者識別情報、前記利用者識別情報に紐づけられた決済情報、及び利用が許諾された前記車室を特定する第２の車室識別情報、を保存する第２の保存部（３０２）と、
前記駐車場用通信装置に接続された駐車管理サーバから受信した前記第１の車室識別情報を保存する第３の保存部（３０３）と、
前記第１の車室識別情報により特定される車室と前記第２の車室識別情報により特定される車室とが同一の車室であると判断する場合、前記決済情報に基づき決済処理を行う演算部（３０４）と、
を有する駐車場管理システム。
【請求項２】
駐車場における駐車スペースである車室毎に設置された駐車場用通信装置（２００）と、情報処理装置（４００）と、からなる駐車場管理システムであり、
前記駐車場用通信装置は、
車両に搭載された車両用通信装置から当該車両を特定する車両識別情報を受信し、かつ、前記車室を特定する第１の車室識別情報を前記車両用通信装置に送信する第１の通信部（２０３）と、
前記車両識別情報及び前記第１の車室識別情報を当該駐車場用通信装置の外部に設けられた前記情報処理装置に送信する第２の通信部（２０７）と、を有し、
前記情報処理装置は、
前記駐車場用通信装置から受信した前記車両識別情報、及び前記第１の車室識別情報を保存する第１の保存部（４０１）と、
前記駐車場の利用の申込みにより取得した利用者識別情報、前記利用者識別情報に紐づけられた決済情報、及び利用が許諾された前記車室を特定する第２の車室識別情報、を保存する第２の保存部（４０２）と、
前記第１の車室識別情報により特定される車室と前記第２の車室識別情報により特定される車室とが同一の車室であると判断する場合、前記決済情報に基づき決済処理を行う演算部（４０４）と、
を有する駐車場管理システム。
【請求項３】
車両に搭載された車両用通信装置（１００）と通信を行う情報処理装置（３００）であり、
前記車両用通信装置は、
駐車場における駐車スペースである車室毎に設置された駐車場用通信装置から前記車室を特定する第１の車室識別情報を受信し、かつ、当該車両を特定する車両識別情報を前記駐車場用通信装置に送信する第１の通信部（１０３）と、
前記第１の車室識別情報及び前記車両識別情報を当該車両の外部に設けられた前記情報処理装置に送信する第２の通信部（１０７）と、を有し、
前記情報処理装置は、
前記車両用通信装置から受信した前記第１の車室識別情報、及び前記車両識別情報を保存する第１の保存部（３０１）と、
前記駐車場の利用の申込みにより取得した利用者識別情報、前記利用者識別情報に紐づけられた決済情報、及び利用が許諾された前記車室を特定する第２の車室識別情報、を保存する第２の保存部（３０２）と、
前記駐車場用通信装置に接続された駐車管理サーバから受信した前記第１の車室識別情報を保存する第３の保存部（３０３）と、
前記第１の車室識別情報により特定される車室と前記第２の車室識別情報により特定される車室とが同一の車室であると判断する場合、前記決済情報に基づき決済処理を行う演算部（３０４）と、
を有する情報処理装置（３００）。
【請求項４】
駐車場における駐車スペースである車室毎に設置された駐車場用通信装置（２００）と通信を行う情報処理装置（４００）であり、
前記駐車場用通信装置は、
車両に搭載された車両用通信装置から当該車両を特定する車両識別情報を受信し、かつ、前記車室を特定する第１の車室識別情報を前記車両用通信装置に送信する第１の通信部（２０３）と、
前記車両識別情報及び前記第１の車室識別情報を当該駐車場用通信装置の外部に設けられた前記情報処理装置に送信する第２の通信部（２０７）と、を有し、
前記情報処理装置は、
前記駐車場用通信装置から受信した前記車両識別情報、及び前記第１の車室識別情報を保存する第１の保存部（４０１）と、
前記駐車場の利用の申込みにより取得した利用者識別情報、前記利用者識別情報に紐づけられた決済情報、及び利用が許諾された前記車室を特定する第２の車室識別情報、を保存する第２の保存部（４０２）と、
前記第１の車室識別情報により特定される車室と前記第２の車室識別情報により特定される車室とが同一の車室であると判断する場合、前記決済情報に基づき決済処理を行う演算部（４０４）と、
を有する情報処理装置（４００）。
【請求項５】
前記車両識別情報を第１の車両識別情報とした場合、
前記第２の保存部は、さらに前記利用者識別情報に紐づけられた第２の車両識別情報を保存し、
前記決済処理部は、前記第１の車室識別情報により特定される車室と前記第２の車室識別情報により特定される車室とが同一の車室と判断し、かつ、前記第１の車両識別情報と前記第２の車両識別情報により特定される車両が同一の車両と判断する場合、前記決済情報に基づき決済処理を行う、
請求項４記載の情報処理装置。
【請求項６】
車両に搭載された車両用通信装置（１００）と通信を行う情報処理装置（３００）での処理を行う駐車場管理プログラムであり、
前記車両用通信装置は、
駐車場における駐車スペースである車室毎に設置された駐車場用通信装置から前記車室を特定する第１の車室識別情報を受信し、かつ、当該車両を特定する車両識別情報を前記駐車場用通信装置に送信する第１の通信部（１０３）と、
前記第１の車室識別情報及び前記車両識別情報を当該車両の外部に設けられた前記情報処理装置に送信する第２の通信部（１０７）と、を有し、
前記情報処理装置において、
前記車両用通信装置から受信した前記第１の車室識別情報、及び前記車両識別情報を保存する第１の保存ステップと、
前記駐車場の利用の申込みにより取得した利用者識別情報、前記利用者識別情報に紐づけられた決済情報、及び利用が許諾された前記車室を特定する第２の車室識別情報、を保存する第２の保存ステップと、
前記駐車場用通信装置に接続された駐車管理サーバから受信した前記第１の車室識別情報を保存する第３の保存ステップと、
前記第１の車室識別情報により特定される車室と前記第２の車室識別情報により特定される車室とが同一の車室であると判断する場合、前記決済情報に基づき決済処理を行う決済処理ステップと、
を実行する駐車場用管理プログラム。
【請求項７】
駐車場における駐車スペースである車室毎に設置された駐車場用通信装置（２００）と通信を行う情報処理装置（４００）での処理を行う駐車場管理プログラムであり、
前記駐車場用通信装置は、
車両に搭載された車両用通信装置から当該車両を特定する車両識別情報を受信し、かつ、前記車室を特定する第１の車室識別情報を前記車両用通信装置に送信する第１の通信部（２０３）と、
前記車両識別情報及び前記第１の車室識別情報を当該駐車場用通信装置の外部に設けられた前記情報処理装置に送信する第２の通信部（２０７）と、を有し、
前記情報処理装置において、
前記駐車場用通信装置から受信した前記車両識別情報、及び前記第１の車室識別情報を保存する第１の保存ステップと、
前記駐車場の利用の申込みにより取得した利用者識別情報、前記利用者識別情報に紐づけられた決済情報、及び利用が許諾された前記車室を特定する第２の車室識別情報、を保存する第２の保存ステップと、
前記第１の車室識別情報により特定される車室と前記第２の車室識別情報により特定される車室とが同一の車室であると判断する場合、前記決済情報に基づき決済処理を行う決済処理ステップと、
を実行する駐車場用管理プログラム。
【請求項８】
車両に搭載された車両用通信装置（１００）であり、
駐車場における駐車スペースである車室毎に設置された駐車場用通信装置から前記車室を特定する車室識別情報を受信し、かつ、当該車両を特定する車両識別情報を前記駐車場用通信装置に送信する第１の通信部（１０３）と、
前記車室識別情報及び前記車両識別情報を当該車両の外部に設けられた情報処理装置に送信する第２の通信部（１０７）と、
を有する車両用通信装置（１００）。
【請求項９】
第１の通信部は、近距離無線通信方式で通信を行う、
請求項８記載の車両用通信装置。
【請求項１０】
第１の通信部は、ＬＦ（長波）を送信する送信部（１０２）と、ＲＦ（極超短波）を受信する受信部（１０１）とを有する、
請求項９記載の車両用通信装置。
【請求項１１】
第２の通信部は、低消費電力広域無線通信（LPWA）方式で通信を行う、
請求項８記載の車両用通信装置。
【請求項１２】
駐車場における駐車スペースである車室毎に設置された駐車場用通信装置（２００）であり、
車両に搭載された車両用通信装置から当該車両を特定する車両識別情報を受信し、かつ、前記車室を特定する車室識別情報を前記車両用通信装置に送信する第１の通信部（２０３）と、
前記車両識別情報及び前記車室識別情報を当該駐車場用通信装置の外部に設けられた情報処理装置に送信する第２の通信部（２０７）と、
を有する駐車場用通信装置（２００）。
【請求項１３】
第１の通信部は、近距離無線通信方式で通信を行う、
請求項１２記載の駐車場用通信装置。
【請求項１４】
第１の通信部は、ＲＦ（極超短波）を送信する送信部（２０２）と、ＬＦ（長波）を受信する受信部（２０１）とを有する、
請求項１３記載の駐車場用通信装置。
【請求項１５】
第２の通信部は、低消費電力広域無線通信（LPWA）方式で通信を行う、
請求項１２記載の駐車場用通信装置。
【請求項１６】
第２の通信部は、一日における時間帯に応じて、前記情報処理装置に送信する送信間隔を変更する、
請求項１５記載の駐車場用通信装置。
【請求項１７】
第２の通信部は、前記駐車場の車室の空車率又は空車数に応じて、前記情報処理装置に送信する送信間隔を変更する、
請求項１５記載の駐車場用通信装置。
【請求項１８】
車両に搭載された車両用通信装置であり、
駐車場における駐車スペースである車室毎に設置された駐車場用通信装置と、前記駐車場用通信装置の外部に設けられた情報処理装置と、の間で送受信される前記車室を特定する車室識別情報であって、前記駐車場の予約の際に指定した第１の車室識別情報、及び、前記駐車場用通信装置から前記情報処理装置に送信された第２の車室識別情報を、前記情報処理装置から受信する受信部（６０１）と、
前記第１の車室識別情報及び前記第２の車室識別情報とを比較する制御部（６０４）と、
前記第１の車室識別情報及び前記第２の車室識別情報とが一致した場合、当該車両を特定する車両識別情報を、前記情報処理装置に送信する送信部（６０２）と、
を有する車両用通信装置（６００）。